(57)【要約】      （修正有）【課題】病院内ネットワークに影響を及ぼさずに、インターネットを通じて病院外にある端末と通信可能な透析治療用機器監視システムを提供する。【解決手段】複数の透析治療用機器を監視する透析治療用機器監視システム１が備えられた病院において、スタッフが病院内に不在となる期間中、透析液供給装置２１及び原末溶解装置２２は、装置内部の洗浄及び消毒が行われる透析準備処理を実行し、透析準備処理実行中にエラーが生じると中断する。一方、いずれかの透析治療用機器にエラーが生じると、ネットワークカメラが、透析治療用機器毎に設けられたエラー表示用のディスプレイ２１Ｄ，２２Ｄ，２３Ｄのうち、エラーが生じた透析治療用機器のディスプレイを選択的に撮像するとともに、撮像したディスプレイの画像を示す画像データを、透析治療用機器監視システム１専用のモバイルルータ１３を介して、インターネット上の通信端末２に向けて送信する。【選択図】図１
2013220191.tif 000002
【特許請求の範囲】
【請求項１】
施設内で透析治療を患者に施すために作動する複数の透析治療用機器の各々を、該透析治療用機器の操作者が前記施設内に不在となる期間に監視する透析治療用機器監視システムであって、
前記透析治療用機器の作動状態に関する情報が表示された表示器を撮像する撮像装置と、
前記透析治療用機器毎に設けられた前記表示器のうち、いずれかの前記透析治療用機器の前記表示器を選択的に撮像するように前記撮像装置を制御する制御機構と、
前記撮像装置が撮像した前記表示器の画像を示す画像データを前記撮像装置から取得し、取得した前記画像データを送信するデータ送信機構と、
該データ送信機構が外部通信ネットワークに接続された前記施設の外にある端末に向けて前記画像データを送信する際に、前記外部通信ネットワークに接続する中継機器と、を備え、
前記透析治療用機器監視システムが監視する複数の前記透析治療用機器の中には、原水を逆浸透膜にて精製する精製装置と、透析液の原末を溶解する溶解装置と、前記精製装置が前記原水を精製して得た精製水と前記溶解装置が前記原末を溶解して得た透析液原液とを調合して前記透析液を供給する透析液供給装置と、が含まれており、
前記期間中、前記透析治療用機器のうち、前記溶解装置及び前記透析液供給装置は、装置内部の洗浄及び消毒を行う透析準備処理を実行し、該透析準備処理の実行中に前記作動状態が異常状態となると前記透析準備処理を中断し、
前記期間中に、前記精製装置、前記溶解装置及び前記透析液供給装置のうち、いずれかの機器の前記作動状態が異常状態となると、前記制御機構が、前記作動状態が異常状態となった前記透析治療用機器を特定した上で前記撮像装置を制御し、前記撮像装置が、前記制御機構が特定した前記透析治療用機器の前記表示器を選択的に撮像し、前記データ送信機構が、前記中継機器を介して、前記撮像装置が撮像した前記表示器の画像を示す前記画像データを前記端末に向けて送信し、
前記中継機器は、前記施設において前記透析治療用機器監視システム専用の機器として設けられ、無線通信回線を通じて前記外部通信ネットワークに接続することを特徴とする透析治療用機器監視システム。
【請求項２】
前記溶解装置は、前記透析準備処理が完了していない状態では前記原末の溶解を開始せず、前記透析液供給装置は、前記透析準備処理が完了していない状態では前記透析液の供給を開始しないことを特徴とする請求項１に記載の透析治療用機器監視システム。
【請求項３】
前記中継機器は、モバイル通信回線を通じて前記外部通信ネットワークとしてのインターネットに接続するモバイルルータであり、
前記データ送信機構は、前記モバイルルータを介して、前記画像データが添付されたメールを、登録されたメールアドレスに対応する前記端末である登録端末に向けて送信することを特徴とする請求項２に記載の透析治療用機器監視システム。
【請求項４】
前記撮像装置としてのカメラ本体と、該カメラ本体を制御する前記制御機構としてのカメラ制御機構を備えるネットワークカメラを備えており、
前記端末は、前記モバイルルータを介して前記ネットワークカメラと通信可能であり、
前記モバイルルータを識別するために前記モバイルルータに割り当てられたグローバルＩＰアドレスは、固定グローバルＩＰアドレスであることを特徴とする請求項３に記載の透析治療用機器監視システム。
【請求項５】
前記データ送信機構及び前記モバイルルータは、前記施設に設けられた無停電電源からの電力を受電して作動し、
前記透析治療用機器が商用電源からの電力を受電して作動する場合、前記データ送信機構は、前記商用電源から前記透析治療用機器への電源供給が中断すると、該電源供給の中断を報知するための報知メールを、前記モバイルルータを介して前記登録端末に向けて送信することを特徴とする請求項３または４に記載の透析治療用機器監視システム。
【請求項６】
前記作動状態が異常状態となった前記透析治療用機器から出力される異常信号の入力ポートと、該異常信号が出力された前記透析治療用機器の前記表示器を撮像させるために出力させる制御信号の出力ポートと、を備えるＩ／Ｏモジュールを更に有し、
該Ｉ／Ｏモジュールは、少なくとも前記透析治療用機器の台数以上の前記入力ポートと、少なくとも前記撮像装置の台数以上の前記出力ポートと、を備えることを特徴とする請求項２乃至５のいずれか一項に記載の透析治療用機器監視システム。
【請求項７】
前記精製装置は、少なくとも、前記精製装置において漏水が発生したとき、前記原水を貯蔵する貯水タンクの貯水量が管理値以下になったとき、及び、前記原水を送水する送水ポンプが故障したときに前記異常信号を出力し、
前記溶解装置は、少なくとも、前記溶解装置において前記透析液原液の漏れが発生したとき、及び、内部にて前記原末の溶解が行われる溶解槽の槽内温度が管理値以上になったときに前記異常信号を出力し、
前記透析液供給装置は、少なくとも、前記透析液を供給する際の供給圧が管理値以下になったとき、前記透析液の溶質濃度が管理範囲から外れたとき、及び、前記透析液原液を貯蔵する原液タンク内の前記透析液原液の溶質濃度が管理範囲から外れたときに前記異常信号を出力することを特徴とする請求項２乃至６のいずれか一項に記載の透析治療用機器監視システム。
【請求項８】
施設内で透析治療を患者に施すために作動する複数の透析治療用機器の各々を、該透析治療用機器の操作者が前記施設内に不在となる期間に監視する透析治療用機器監視システムによる透析治療用機器監視方法であって、
撮像装置が、前記透析治療用機器の作動状態に関する情報が表示された表示器を撮像する工程と、
制御機構が、前記透析治療用機器毎に設けられた前記表示器のうち、いずれかの前記透析治療用機器の前記表示器を選択的に撮像するように前記撮像装置を制御する工程と、
データ送信機構が、前記撮像装置が撮像した画像を示す画像データを前記撮像装置から取得し、取得した前記画像データを送信する工程と、
前記透析治療用機器監視システムが監視する複数の前記透析治療用機器の中には、原水を逆浸透膜にて精製する精製装置と、透析液の原末を溶解する溶解装置と、前記精製装置が前記原水を精製して得た精製水と前記溶解装置が前記原末を溶解して得た透析液原液とを調合して前記透析液を供給する透析液供給装置と、が含まれており、
前記期間中、前記透析治療用機器のうち、前記溶解装置及び前記透析液供給装置は、装置内部の洗浄及び消毒を行う透析準備処理を実行し、該透析準備処理の実行中に前記作動状態が異常状態となると前記透析準備処理を中断し、
前記期間中に、前記精製装置、前記溶解装置及び前記透析液供給装置のうち、いずれかの機器の前記作動状態が異常状態となると、前記制御機構が前記撮像装置を制御する工程、前記撮像装置が前記表示器を撮像する工程、及び、前記データ送信機構が前記画像データを送信する工程が実行され、
前記制御機構が前記撮像装置を制御する工程では、前記制御機構が、前記作動状態が異常状態となった前記透析治療用機器を特定した上で前記撮像装置を制御し、
前記撮像装置が前記表示器を撮像する工程では、前記撮像装置が、前記制御機構が特定した前記透析治療用機器の前記表示器を選択的に撮像し、
前記データ送信機構が前記画像データを送信する工程では、前記施設において前記透析治療用機器監視システム専用の機器として設けられた中継機器が無線通信回線を通じて外部通信ネットワークに接続した上で、前記データ送信機構が、前記中継機器を介して、前記撮像装置が撮像した前記表示器の画像を示す前記画像データを、前記外部通信ネットワークに接続された前記施設の外にある端末に向けて送信することを特徴とする透析治療用機器監視方法。
【発明の詳細な説明】
【技術分野】
【０００１】
本発明は、透析治療用機器監視システム及び透析治療用機器監視方法に係り、特に、夜間や休日など、透析治療用機器の操作者が施設内に不在となる期間に透析治療用機器を監視するシステム及び監視方法に関する。
【背景技術】
【０００２】
病院等の施設内において透析治療を患者に施す場合、通常、施設内にて複数の医療機器が作動して各々の処理を実行する。このような透析治療用機器の中には、原水を逆浸透膜にて精製する精製装置、透析液の原末を溶解する溶解装置、及び、精製装置にて精製された精製水と溶解装置が原末を溶解して得た透析液原液とを調合して透析液を供給する透析液供給装置が含まれている。これらの機器は、その操作者が施設内に居る昼間帯には、透析治療を実際に患者に施すための処理を実行する一方で、操作者が施設内に不在となる夜間や休日には、装置内部の洗浄や消毒等の準備処理を翌営業日における透析治療に備えて実行する。
【０００３】
以上のように構成された透析治療用機器は、操作者不在の期間内に上記の準備処理を完了するように作動するが、仮に準備処理実行中にエラーが生じると、準備処理を中断してしまうことがある。かかる事態では、翌営業日における透析治療に支障を来してしまうため、準備処理実行中にエラーが生じた場合には可及的速やかに操作者に通報する必要がある。このような理由により、病院等の施設内には、操作者不在の期間中、透析治療用機器の作動状態を監視し、異常が発生した場合に操作者に報知する監視システムが導入されている場合がある。
【０００４】
上記の監視システムの中には、複数の医療機器の状態を有線または無線のネットワークを通じて監視するものがあり、このようなシステムであれば、複数の医療機器の各々の作動状態を遠隔監視することが可能になる。特に、特許文献１に記載の監視システムのように、複数の医療機器の各々の作動状態をサーバにて遠隔監視し、インターネットのような外部通信ネットワークを通じて上記のサーバがクライアントと通信すれば、外部に居る人員に対して各医療機器の作動状態を報知することが可能となる。
【先行技術文献】
【特許文献】
【０００５】
【特許文献１】特表２００７−５２６０２４号公報
【発明の概要】
【発明が解決しようとする課題】
【０００６】
ところで、外部通信ネットワークに接続可能な監視システムを新たに導入する場合、当該監視システムと同じ施設内にある通信機器によって構築された既存の情報網に対して悪影響が及ばないようにしなければならない。例えば、施設内において既に構築された外部通信ネットワークと接続可能な通信網を監視システムに流用しようとすると、セキュリティの面で問題が生じる可能性があり、また、システム導入に際して上記の通信網の構成を調査する必要があるため、その調査に手間を要することになる。
【０００７】
そこで、本発明は、上記の問題に鑑みてなされたものであり、その目的は、施設内において他の機器によって構築された通信網に影響を及ぼさずに、外部通信ネットワークを通じて施設の外にある端末と通信可能な透析治療用機器監視システムを提供することにある。
また、本発明の他の目的は、施設内において他の機器によって構築された通信網に影響を及ぼさずに、外部通信ネットワークを通じて施設の外にある端末と通信することが可能な透析治療監視方法を提供することにある。
【課題を解決するための手段】
【０００８】
前記課題は、本発明の透析治療用機器監視システムによれば、施設内で透析治療を患者に施すために作動する複数の透析治療用機器の各々を、該透析治療用機器の操作者が前記施設内に不在となる期間に監視する透析治療用機器監視システムであって、前記透析治療用機器の作動状態に関する情報が表示された表示器を撮像する撮像装置と、前記透析治療用機器毎に設けられた前記表示器のうち、いずれかの前記透析治療用機器の前記表示器を選択的に撮像するように前記撮像装置を制御する制御機構と、前記撮像装置が撮像した画像を示す画像データを前記撮像装置から取得し、取得した前記画像データを送信するデータ送信機構と、該データ送信機構が外部通信ネットワークに接続された前記施設の外にある端末に向けて前記画像データを送信する際に、前記外部通信ネットワークに接続する中継機器と、を備え、前記透析治療用機器監視システムが監視する複数の前記透析治療用機器の中には、原水を逆浸透膜にて精製する精製装置と、透析液の原末を溶解する溶解装置と、前記精製装置が前記原水を精製して得た精製水と前記溶解装置が前記原末を溶解して得た透析液原液とを調合して前記透析液を供給する透析液供給装置と、が含まれており、前記期間中、前記透析治療用機器のうち、前記溶解装置及び前記透析液供給装置は、装置内部の洗浄及び消毒を行う透析準備処理を実行し、該透析準備処理の実行中に前記作動状態が異常状態となると前記透析準備処理を中断し、前記期間中に、前記精製装置、前記溶解装置及び前記透析液供給装置のうち、いずれかの機器の前記作動状態が異常状態となると、前記制御機構が、前記作動状態が異常状態となった前記透析治療用機器を特定した上で前記撮像装置を制御し、前記撮像装置が、前記制御機構が特定した前記透析治療用機器の前記表示器を選択的に撮像し、前記データ送信機構が、前記中継機器を介して、前記撮像装置が撮像した前記表示器の画像を示す前記画像データを前記端末に向けて送信し、前記中継機器は、前記施設において前記透析治療用機器監視システム専用の機器として設けられ、無線通信回線を通じて前記外部通信ネットワークに接続することにより解決される。
【０００９】
上記の透析治療用機器監視システムでは、透析治療用機器の操作者が施設内に不在となる期間中、精製装置、溶解装置及び透析液供給装置のうち、いずれかの機器に異常が生じると、異常状態となった透析治療用機器の作動状態に関する情報を表示する表示器を撮像し、その画像を示す画像データを外部通信ネットワーク上の端末に向けて送信する。これにより、操作者不在時における各透析治療用機器の作動状態を監視することができ、特に、溶解装置及び透析液供給装置については、透析準備処理が正常に実行されているかどうかを監視することが可能となる。
さらに、上記の透析治療用機器監視システムでは、外部通信ネットワークを通じて施設外の端末に向けて画像データを送信する際、透析治療用機器監視システム専用の機器として設けられた中継機器が無線通信回線を通じて外部通信ネットワークに接続する。すなわち、本発明の透析治療用機器監視システムは、施設内において他の機器によって構築された通信網から切り離れた状態となる。したがって、施設内において他の機器によって構築された通信網に影響を及ぼさずに、外部通信ネットワーク上の端末に向けて画像データを送ることが可能となる。この結果、施設内に構築された通信網のセキュリティが確保され、また、システム導入に際して施設内の通信網を調査する手間を要さないのでシステム導入に掛かるコストが抑えられるようになる。
【００１０】
また、上記の透析治療用機器監視システムにおいて、前記溶解装置は、前記透析準備処理が完了していない状態では前記原末の溶解を開始せず、前記透析液供給装置は、前記透析準備処理が完了していない状態では前記透析液の供給を開始しないこととしてもよい。
以上のように、溶解装置及び透析液供給装置が異常状態であるときに透析準備処理を中断し、透析準備処理が完了していない状態では本来の処理（具体的には、原末の溶解や透析液の供給）を実行しないことになっていれば、操作者が施設内に不在となる期間において溶解装置及び透析液供給装置の作動状態を監視することがより重要となる。このため、本発明の透析治療用機器監視システムがより有意義なものとなる。
【００１１】
また、上記の透析治療用機器監視システムにおいて、前記中継機器は、モバイル通信回線を通じて前記外部通信ネットワークとしてのインターネットに接続するモバイルルータであり、前記データ送信機構は、前記モバイルルータを介して、前記画像データが添付されたメールを、登録されたメールアドレスに対応する前記端末である登録端末に向けて送信することとしてもよい。
以上のように、モバイルルータを介して画像データが添付されたメールを、登録されたメールアドレスに対応する端末に送信すれば、施設内において他の機器によって構築された通信網に影響を及ぼさずに、かつ、メールという汎用的な手段で透析治療用機器の異常を報知することが可能になる。
【００１２】
また、上記の透析治療用機器監視システムにおいて、前記撮像装置としてのカメラ本体と、該カメラ本体を制御する前記制御機構としてのカメラ制御機構を備えるネットワークカメラを備えており、前記端末は、前記モバイルルータを介して前記ネットワークカメラと通信可能であり、前記モバイルルータを識別するために前記モバイルルータに割り当てられたグローバルＩＰアドレスは、固定グローバルＩＰアドレスであることとしてもよい。
以上のように、モバイルルータに固定グローバルＩＰアドレスが割り当てられていれば、モバイルルータを介してネットワークカメラと通信する際、より確実に通信することが可能になる。
【００１３】
また、上記の透析治療用機器監視システムにおいて、前記データ送信機構及び前記モバイルルータは、前記施設に設けられた無停電電源からの電力を受電して作動し、前記透析治療用機器が商用電源からの電力を受電して作動する場合、前記データ送信機構は、前記商用電源から前記透析治療用機器への電源供給が中断すると、該電源供給の中断を報知するための報知メールを、前記モバイルルータを介して前記登録端末に向けて送信することとしてもよい。
以上のように、データ送信機構及びモバイルルータが無停電電源からの電力を受電して作動すれば、商用電源から透析治療用機器への電力供給が中断したことを報知するメールを送信することが可能となり、このメール配信によって、施設の外に居る操作者に停電の発生を知らせることが可能になる。
【００１４】
また、上記の透析治療用機器監視システムにおいて、前記作動状態が異常状態となった前記透析治療用機器から出力される異常信号の入力ポートと、該異常信号が出力された前記透析治療用機器の前記表示器を撮像させるために出力させる制御信号の出力ポートと、を備えるＩ／Ｏモジュールを更に有し、該Ｉ／Ｏモジュールは、少なくとも前記透析治療用機器の台数以上の前記入力ポートと、少なくとも前記撮像装置の台数以上の前記出力ポートと、を備えることとしてもよい。
以上のように、透析治療用機器の台数以上の入力ポートと、撮像装置の台数以上の出力ポートとを備えるＩ／Ｏモジュールであれば、透析治療用機器や撮像装置の台数が増えた場合にも柔軟に対応することが可能となる。
【００１５】
また、上記の透析治療用機器監視システムにおいて、前記精製装置は、少なくとも、前記精製装置において漏水が発生したとき、前記原水を貯蔵する貯水タンクの貯水量が管理値以下になったとき、及び、前記原水を送水する送水ポンプが故障したときに前記異常信号を出力し、前記溶解装置は、少なくとも、前記溶解装置において前記透析液原液の漏れが発生したとき、及び、内部にて前記原末の溶解が行われる溶解槽の槽内温度が管理値以上になったときに前記異常信号を出力し、前記透析液供給装置は、少なくとも、前記透析液を供給する際の供給圧が管理値以下になったとき、前記透析液の溶質濃度が管理範囲から外れたとき、及び、前記透析液原液を貯蔵する原液タンク内の前記透析液原液の溶質濃度が管理範囲から外れたときに前記異常信号を出力することとしてもよい。
以上のように、精製装置、溶解装置及び透析液供給装置の各々について監視項目を定めておき、それぞれの項目について異常が生じたときに異常信号を出力するようになっていれば、精製装置、溶解装置及び透析液供給装置の各々の作動状態を細やかに監視することが可能になる。
【００１６】
また、上記の課題は、本発明の透析治療用機器監視方法によれば、施設内で透析治療を患者に施すために作動する複数の透析治療用機器の各々を、該透析治療用機器の操作者が前記施設内に不在となる期間に監視する透析治療用機器監視システムによる透析治療用機器監視方法であって、撮像装置が、前記透析治療用機器の作動状態に関する情報が表示された表示器を撮像する工程と、制御機構が、前記透析治療用機器毎に設けられた前記表示器のうち、いずれかの前記透析治療用機器の前記表示器を選択的に撮像するように前記撮像装置を制御する工程と、データ送信機構が、前記撮像装置が撮像した画像を示す画像データを前記撮像装置から取得し、取得した前記画像データを送信する工程と、前記透析治療用機器監視システムが監視する複数の前記透析治療用機器の中には、原水を逆浸透膜にて精製する精製装置と、透析液の原末を溶解する溶解装置と、前記精製装置が前記原水を精製して得た精製水と前記溶解装置が前記原末を溶解して得た透析液原液とを調合して前記透析液を供給する透析液供給装置と、が含まれており、前記期間中、前記透析治療用機器のうち、前記溶解装置及び前記透析液供給装置は、装置内部の洗浄及び消毒を行う透析準備処理を実行し、該透析準備処理の実行中に前記作動状態が異常状態となると前記透析準備処理を中断し、前記期間中に、前記精製装置、前記溶解装置及び前記透析液供給装置のうち、いずれかの機器の前記作動状態が異常状態となると、前記制御機構が前記撮像装置を制御する工程、前記撮像装置が前記表示器を撮像する工程、及び、前記データ送信機構が前記画像データを送信する工程が実行され、前記制御機構が前記撮像装置を制御する工程では、前記制御機構が、前記作動状態が異常状態となった前記透析治療用機器を特定した上で前記撮像装置を制御し、前記撮像装置が前記表示器を撮像する工程では、前記撮像装置が、前記制御機構が特定した前記透析治療用機器の前記表示器を選択的に撮像し、前記データ送信機構が前記画像データを送信する工程では、前記施設において前記透析治療用機器監視システム専用の機器として設けられた中継機器が無線通信回線を通じて外部通信ネットワークに接続した上で、前記データ送信機構が、前記中継機器を介して、前記撮像装置が撮像した前記表示器の画像を示す前記画像データを、前記外部通信ネットワークに接続された前記施設の外にある端末に向けて送信することにより解決される。
【００１７】
上記の透析治療用機器監視方法では、透析治療用機器の操作者が施設内に不在となる期間中、精製装置、溶解装置及び透析液供給装置のうち、いずれかの機器に異常が生じると、異常状態となった透析治療用機器の作動状態に関する情報を表示する表示器を撮像し、その画像を示す画像データを外部通信ネットワーク上の端末に向けて送信する。これにより、操作者不在時における各透析治療用機器の作動状態を監視することができ、特に、溶解装置及び透析液供給装置については、透析準備処理が正常に実行されているかどうかを監視することが可能となる。
さらに、上記の透析治療用機器監視方法であれば、透析治療用機器監視システム専用の機器として設けられた中継機器が無線通信回線を通じて外部通信ネットワークに接続した上で、中継機器を介して、外部通信ネットワークに接続された施設外の端末に向けて画像データを送信する。このため、施設内において他の機器によって構築された通信網から切り離れた状態で上記の画像データを施設外の端末に向けて送信することになる。したがって、上記の透析治療用機器監視方法であれば、施設内において他の機器によって構築された通信網に影響を及ぼさずに、外部通信ネットワークを通じて施設の外にある端末に向けて画像データを送ることが可能となる。
【発明の効果】
【００１８】
本発明の透析治療用機器監視システムでは、透析治療用機器の操作者が施設内に不在となる期間中、精製装置、溶解装置及び透析液供給装置のうち、いずれかの機器に異常が生じると、異常状態となった透析治療用機器の作動状態に関する情報を表示する表示器を撮像し、その画像を示す画像データを外部通信ネットワーク上の端末に向けて送信する。これにより、操作者不在時における各透析治療用機器の作動状態を監視することができ、特に、溶解装置及び透析液供給装置については、透析準備処理が正常に実行されているかどうかを監視することが可能となる。
さらに、外部通信ネットワークを通じて施設外の端末に向けて画像データを送信する際、透析治療用機器監視システム専用の機器として設けられた中継機器が無線通信回線を通じて外部通信ネットワークに接続する。すなわち、本発明の透析治療用機器監視システムは、施設内において他の機器によって構築された通信網から切り離れた状態となる。したがって、施設内において他の機器によって構築された通信網に影響を及ぼさずに、外部通信ネットワーク上の端末に向けて画像データを送ることが可能となる。この結果、施設内に構築された通信網のセキュリティが確保され、また、システム導入に際して施設内の通信網を調査する手間を要さないのでシステム導入に掛かるコストが抑えられるようになる。
【図面の簡単な説明】
【００１９】
【図１】本発明に係る透析治療用機器監視システムの構成を示す図である。
【図２】本発明に係る施設内の通信網を示す図である。
【図３】本発明に係る透析治療用機器の運転スケジュールを示す図である。
【図４】操作者不在時の運転内容を示す図である。
【図５】本発明に係る精製装置の構成を示す概念図である。
【図６】本発明に係る溶解装置の構成を示す概念図である。
【図７】本発明に係る透析液供給装置の構成を示す概念図である。
【図８】本発明に係る透析治療用機器の計装器を示す概念図である。
【図９】図９（Ａ）は本発明に係る精製装置の表示器を、図９（Ｂ）は本発明に係る溶解装置の表示器を、図９（Ｃ）は本発明に係る透析液供給装置の表示器を、それぞれ示した図である。
【図１０】監視ユニットの外観を示す図である。
【図１１】監視ユニットの構成機器を示す図である。
【図１２】カメラ側制御機構のメモリ内に記憶されているデータの説明図である。
【図１３】カメラ側制御機構の構成を機能面から説明するための図である。
【図１４】カメラ操作画面の一例を示す図である。
【図１５】本発明に係る透析治療用機器監視システムによる監視制御の流れを示す図である。
【図１６】停電時における監視制御の流れを示す図である。
【図１７】停電時における監視制御の流れの変更例を示す図である。
【図１８】透析治療用機器監視システムの変形例を示す図である。
【発明を実施するための形態】
【００２０】
本発明の一実施形態（以下、本実施形態という）に係る透析治療用機器監視システム及び透析治療用機器監視方法について、図１〜図１６を参照しながら説明する。
図１は、本発明に係る透析治療用機器監視システムの構成を示す図である。図２は、本発明に係る施設内の通信網を示す図である。図３は、本発明に係る透析治療用機器の運転スケジュールを示す図である。図４は、操作者不在時の運転内容を示す図である。図５は、本発明に係る精製装置の構成を示す概念図である。図６は、本発明に係る溶解装置の構成を示す概念図である。図７は、本発明に係る透析液供給装置の構成を示す概念図である。図８は、本発明に係る透析治療用機器の計装器を示す概念図である。図９（Ａ）は本発明に係る精製装置の表示器を、図９（Ｂ）は本発明に係る溶解装置の表示器を、図９（Ｃ）は本発明に係る透析液供給装置の表示器を、それぞれ示した図である。図１０は、後述する監視ユニットの外観を示す図であり、図１１は、監視ユニットの構成機器を示す図である。図１２は、後述するカメラ側制御機構のメモリ内に記憶されているデータの説明図であり、図１３は、カメラ側制御機構の構成を機能面から説明するための図である。図１４は、カメラ操作画面の一例を示す図である。図１５は、本発明に係る透析治療用機器監視システムによる監視制御の流れを示す図である。図１６は、停電時における監視制御の流れを示す図である。図１７は、停電時における監視制御の流れの変更例を示す図である。図１８は、透析治療用機器監視システムの変形例を示す図である。
【００２１】
なお、以降に説明する実施形態は、本発明の理解を容易にするための一例に過ぎず、本発明を限定するものではない。本発明は、その趣旨を逸脱することなく、変更、改良され得ると共に、本発明にはその等価物が含まれることはもちろんである。
【００２２】
＜＜本実施形態に係る透析治療用機器監視システムの概要＞＞
本実施形態に係る透析治療用機器監視システム（以下、本システムという）１について、図１乃至４を参照しながら概説する。なお、以下では、透析治療用機器が用いられる施設の一例として病院Ｈを例に挙げて説明する。ただし、病院Ｈはあくまでも上記施設の一例にすぎず、本システム１は、透析治療用機器が用いられる他の施設、例えば、医院、診療所・クリニックその他の医療提供施設においても利用可能なものである。
【００２３】
本システム１は、病院Ｈ内で透析治療を患者に施すために作動する複数の透析治療用機器の各々を、透析治療用機器の操作者（以下、スタッフともいう）が病院Ｈ内に不在となる期間に監視するものである。より具体的に説明すると、本システム１は、透析治療を患者に施すために作動する複数の透析治療用機器の各々を、病院Ｈの営業時間外である夜間帯に監視するものである。
【００２４】
本システム１は、図１に図示された監視ユニット１０を主たる構成要素として備えており、この監視ユニット１０を用いて、透析ユニット２０を構成する各透析治療用機器の作動状態を監視する。より具体的に説明すると、本実施形態ではネットワークカメラ１１を病院Ｈ内（以下、単に院内ともいう）に取り付けており、このネットワークカメラ１１が各透析治療用機器の所定箇所を撮像する。
【００２５】
そして、本システム１では、ネットワークカメラ１１が撮像した画像を示すデータを、スタッフが保有する通信端末２に向けて、外部通信ネットワークＧＮを通じて送信することが可能である。外部通信ネットワークＧＮとは、病院Ｈの外で構築されている通信網のことであり、本実施形態ではインターネットが該当する。スタッフが保有する通信端末２とは、インターネットに接続された端末であって、病院Ｈの外にあるものに相当し、本実施形態ではスタッフ保有のスマートフォンが該当する。
【００２６】
分かり易く説明すると、図３に示すように、平日の９時から１８時までの時間帯が病院Ｈの営業時間となっており、この時間帯、すなわち昼間帯にはスタッフが院内に居て、透析ユニット２０の運転モードが透析実施モードとなっている。透析実施モードでは、透析ユニット２０の構成機器である透析治療用機器の各々が、実際に患者に透析治療を施すように作動し、若しくは、透析治療を開始することが可能な状態で待機している。
【００２７】
一方、図３に示すように、平日の１８時から翌営業日の９時までの時間帯は、病院Ｈの営業時間外となり、この時間帯、すなわち夜間帯にはスタッフが院内に不在となっており、透析ユニット２０の運転モードが透析準備モードとなっている。透析準備モードでは、透析ユニット２０の構成機器の各々が、翌営業日の透析治療に備えて所定の処理（例えば、洗浄・消毒処理）を実行する。このような透析準備処理が実行される夜間帯において、本システム１は、スタッフ不在時用の監視制御を実行することになる。
【００２８】
より詳しく説明すると、夜間帯においていずれかの透析治療用機器の作動状態が異常状態となってエラーが発生すると、図４に示すように、当該エラー機器から警報が発生するようになる。その後、ネットワークカメラ１１が、警報を発しているエラー機器のディスプレイを撮像するようになる。ここで、透析治療用機器のディスプレイには、発生し得るエラー内容を示すエラー内容表示ウィンドウが複数表示されており、エラー機器のディスプレイでは、そのウィンドウのうち、発生しているエラーに対応したウィンドウが点灯するようになっている。したがって、エラー機器のディスプレイをネットワークカメラ１１で撮像すれば、その画像から、エラー機器で発生しているエラーの内容を確認することが可能である。
【００２９】
ネットワークカメラ１１がエラー機器のディスプレイを撮像した後、本システム１は、その画像データが添付されたメールを、インターネットを通じて、スタッフ保有の通信端末２であるスマートフォンに向けて送信する。通信端末２が病院Ｈの外で上記のメールを受信すると、スタッフは、メールに添付された画像を見てエラーの発生とエラー内容を確認する。その後、スタッフは、通信端末２に搭載されたカメラ操作機能を通じて、ネットワークカメラ１１を遠隔操作し、ネットワークカメラ１１が撮像するライブ映像を通信端末２の表示画面で見て、エラー機器の状態を視認するようになる。あるいは、スタッフは、メールに添付された画像を見た後、病院Ｈに戻ってエラー機器の状態を直接現場で確認するようになる。
【００３０】
以上のように、本システム１は、院内にスタッフが不在となる夜間帯において各透析治療用機器の作動状態を監視し、透析治療用機器の作動状態が異常状態となると、ネットワークカメラ１１がその機器のディスプレイを撮像し、撮像した画像を示すデータが添付されたメールを通信端末２に向けて送信する。スタッフ側では、通信端末２であるスマートフォンが、外部通信ネットワークＧＮとしてのインターネットを通じて、上記のメールを受信する。このメールにより、スタッフは、病院Ｈの外に居たとしても、本システム１からの送信データが示す上記画像を確認することにより、透析治療用機器の作動状態を把握することが可能である。
【００３１】
なお、外部通信ネットワークＧＮについては、インターネットに限定されるものではなく、病院Ｈの外で構築されている他の通信網、例えば、モバイルネットワークであってもよい。また、通信端末２についても、スマートフォンに限定されるものではなく、他の端末、例えば、パソコンや携帯電話であってもよいただし、通信端末２については、スマートフォンに限定されるものではなく、他の端末、例えば、パソコンや携帯電話であってもよい。
【００３２】
さらに、本実施形態では、図１に示すように、各透析治療用機器への電力供給が商用電源ＣＤによって賄われている。したがって、商用電源ＣＤが異常状態となって病院Ｈへの送電が遮断された場合には、すなわち、停電時には透析治療用機器へ電力が供給されなくなるため、透析治療用機器が停止するようになる。本実施形態では、夜間帯において停電により各透析治療用機器が停止した場合、その事を報知するメールが、本システム１により通信端末２に向けて送信される。
【００３３】
より具体的に説明すると、本実施形態では、上述したように、商用電源ＣＤからの電力が院内の受電設備（不図示）に受電され、分電盤５３を経由して各透析治療用機器に供給されている。なお、院内には、商用電源ＣＤからの電力を供給するために、電気配線によって形成された電力供給回路５２が形成されている。また、電力供給回路５２において、上記の受電設備と分電盤５３との間には停電検出リレー５４がセットされており、停電検出リレー５４は、停電により商用電源ＣＤから病院Ｈへの電力供給が停止すると、電力供給回路５２を遮断するように動作する。
【００３４】
一方、監視ユニット１０各部への電力供給は、院内に設けられた無停電電源ＵＰＳによって賄われている。したがって、本実施形態では、商用電源ＣＤからの電力供給が中断して停電となったとしても、監視ユニット１０の各部への電力供給を継続することが可能である。そして、商用電源ＣＤからの電力供給が中断して停電となって上記の停電検出リレー５４が動作すると、これを契機にして監視ユニット１０各部が、停電があった旨を通報するメールを通信端末２に向けて送信するように作動するようになる。
【００３５】
以上のように本システム１は、夜間帯において停電となって各透析治療用機器の運転が停止すると、その事を報知するメールを通信端末２に向けて送信する。スタッフ側では、通信端末２が外部通信ネットワークＧＮとしてのインターネットを通じて上記のメールを受信する。このメールにより、スタッフは、透析治療用機器の各々が停電によって停止している状態にあることを把握することが可能である。
【００３６】
ところで、上記の監視ユニット１０は、院内において通信ネットワークを構築するものであるが、院内には、監視ユニット１０以外の端末（以下、院内端末）１０１によって構築された通信ネットワークが存在する。具体的に説明すると、図２に示すように、監視ユニット１０は、院内において、ネットワークカメラ１１を中心とした通信ネットワークとしてのカメラネットワークＮａを構築している。一方で、院内には、医療機器や診断機器若しくは院内の計器を管理するための院内端末１０１が複数設けられており、複数の院内端末１０１が、スイッチングＨＵＢ１０２を介して通信ネットワークとしての院内ネットワークＮｂを構築している。
【００３７】
そして、本実施形態においてカメラネットワークＮａ及び院内ネットワークＮｂは互いに切り離された状態で独立している。さらに、カメラネットワークＮａ及び院内ネットワークＮｂは、それぞれ個別のルータ１３，１０３を備えており、互いに単独でインターネットに接続することが可能である。これにより、例えば、ネットワークカメラ１１が撮像した画像のデータを通信端末２に向けて送信する際には、院内ネットワークＮｂに影響が及ぶことがなく、同様に、院内端末１０１がインターネット上の端末と通信する際には、カメラネットワークＮａに影響が及ぶことがないようになっている。かかる構成については、後に詳しく説明する。
【００３８】
＜＜本実施形態に係る透析治療用監視システム及び周辺機器の構成について＞＞
次に、本システム１及びその周辺機器の各々の構成について説明する。院内には、図１に示すように、本システム１の主たる構成要素である監視ユニット１０と、その監視対象である透析ユニット２０とが配置されている。さらに、院内には、監視ユニット１０及び透析ユニット２０の各部に電力を供給する電力供給ユニット５０が設けられている。
以下では、透析ユニット２０、監視ユニット１０、電力供給ユニット５０の順に、各ユニットの構成を説明する。
【００３９】
（１）透析ユニットについて
透析ユニット２０の構成について図５乃至図９を参照しながら説明する。
透析ユニット２０は、院内において透析治療を患者に施すために作動する複数の透析治療用機器により構成されており、本実施形態では、３種類の機器によって構成されている。具体的に説明すると、本実施形態において、透析ユニット２０は、透析液供給装置２１と、溶解装置としての原末溶解装置２２と、精製装置としての逆浸透膜装置（以下、ＲＯ装置）２３とによって構成されている。
【００４０】
ＲＯ装置２３は、市水や井戸水からなる原水を逆浸透膜にて精製する装置であり、図５に示すように、原水を貯めておく貯水タンク６１と、原水を精製する逆浸透膜モジュール（図５中、ＲＯモジュールと表記）６２と、貯水タンク６１から逆浸透膜モジュール６２へ原水を送水する送水ポンプ６３とを有する。このＲＯ装置２３が原水を精製することで得られる精製水は、原末溶解装置２２が透析液の原末を溶解する際、透析液供給装置２１が透析液原液と混合して透析液を供給する際、さらには原末溶解装置２２及び透析液供給装置２１の装置内部を洗浄する際に用いられる。
【００４１】
原末溶解装置２２は、透析液の原末を溶解する装置であり、本実施形態では、２種類の原末、すなわちＡ剤原末及びＢ剤原末を溶解する。このため、本実施形態において、原末溶解装置２２は、図６に示すように、内部にてＡ剤原末を溶解するＡ剤原末溶解槽６４、及び、内部にてＢ剤原末を溶解するＢ剤原末溶解槽６５を備え、それぞれの溶解槽６４，６５で対応する原末を溶解する。そして、本実施形態では、Ａ剤原末を溶解することによって透析液原液であるＡ剤が得られ、Ｂ剤原末を溶解することによって透析液原液であるＢ剤が得られるようになる。
【００４２】
透析液供給装置２１は、ＲＯ装置２３が原水を精製して得た精製水と、原末溶解装置２２がＡ剤原末及びＢ剤原末をそれぞれ溶解して得たＡ剤及びＢ剤と、を調合して透析液を供給する装置である。透析液供給装置２１は、図７に示すように、精製水、Ａ剤及びＢ剤のそれぞれを貯めておくためのタンク６６，６７，６８を備え、これらの液体を所定の混合比率にて調合することにより透析液を生成し、生成した透析液を透析液タンク６９に貯留しておく。そして、透析液供給装置２１は、実際に透析治療を患者に施す際に、供給ポンプ７０を作動させて、透析液タンク６９内の透析液を所定の供給圧にて供給するようになる。
【００４３】
上記３つの透析治療用機器は、いずれもユニット化されており、機器本体が不図示のケーシング内に収納された状態で院内の同じ部屋にセットされている。また、各透析治療用機器には、図８に示すように、温度センサ、濃度センサ及び圧力センサをはじめとする、各透析治療用機器の作動状態における異常の有無を検出するためのセンサ２１Ａ，２２Ａ，２３Ａと、警報を発するアラーム発生機２１Ｂ，２２Ｂ，２３Ｂが内蔵されている。そして、センサ２１Ａ，２２Ａ，２３Ａが異常を検出した透析治療用機器では、アラーム発生機２１Ｂ，２２Ｂ，２３Ｂから警報が発生するようになる。
【００４４】
さらに、各透析治療用機器のケーシングには、それぞれ、ディスプレイ２１Ｄ，２２Ｄ，２３Ｄが取り付けられている。このディスプレイ２１Ｄ，２２Ｄ，２３Ｄは、透析治療用機器の作動状態に関する情報が表示される表示器である。具体的に説明すると、前述したように、ディスプレイ２１Ｄ，２２Ｄ，２３Ｄには、透析治療用機器において発生し得るエラー内容を示すエラー内容表示ウィンドウが複数表示されている。
【００４５】
例えば、透析液供給装置２１のディスプレイ２１Ｄは、図９（Ａ）に図示された画面となっており、エラー内容表示ウィンドウとして、「給水圧下限」、「透析液濃度下限」、及び「貯槽液濃度異常」のウィンドウが設けられている。「給水圧下限」のウィンドウは、供給ポンプ７０を用いて透析液を供給する際の供給圧が管理値以下になったときに点灯し、「透析液濃度下限」のウィンドウは、供給される透析液の溶質濃度が管理範囲から外れたときに点灯し、「貯槽液濃度異常」のウィンドウは、透析液タンク６９内の透析液の溶質濃度が管理範囲から外れたときに点灯する。なお、上記のウィンドウは、あくまでも一例であり、上記以外のエラー内容を表示するウィンドウが設けられていてもよい。
【００４６】
また、原末溶解装置２２のディスプレイ２２Ｄは、図９（Ｂ）に図示された画面となっており、エラー内容表示ウィンドウとして、「Ａ溶解槽温度高」、「Ｂ溶解槽温度高」及び「薬液漏れ」のウィンドウが設けられている。「Ａ溶解槽温度高」のウィンドウは、Ａ剤原末溶解槽６４の槽内温度が管理値以上になったときに点灯し、「Ｂ溶解槽温度高」のウィンドウは、Ｂ剤原末溶解槽６５の槽内温度が管理値以上になったときに点灯し、「薬液漏れ」のウィンドウは、装置において透析液原液であるＡ剤やＢ剤が漏れたときに点灯する。なお、上記のウィンドウは、あくまでも一例であり、上記以外のエラー内容を表示するウィンドウが設けられていてもよい。
【００４７】
また、ＲＯ装置２３のディスプレイ２３Ｄは、図９（Ｃ）に図示された画面となっており、エラー内容表示ウィンドウとして、「漏水」、「貯水タンク渇水」、「送水ポンプ故障」のウィンドウが設けられている。「漏水」のウィンドウは、ＲＯ装置２３において漏水が発生したときに点灯し、「貯水タンク渇水」のウィンドウは、貯水タンク６１における原水の貯水量が管理値以下になったときに点灯し、「送水ポンプ故障」のウィンドウは、送水ポンプ６３が故障したときに点灯する。なお、上記のウィンドウは、あくまでも一例であり、上記以外のエラー内容を表示するウィンドウが設けられていてもよい。
【００４８】
以上のように構成された透析ユニット２０は、スタッフが院内に居る昼間帯中、透析実施モードで運転しており、透析実施モードでは上記３つの透析治療用機器が協働することで患者に対して透析治療を行うようになる。なお、本実施形態に係る透析ユニット２０は、透析液供給装置２１、原末溶解装置２２及びＲＯ装置２３によって構成されることとしたが、上記３つの透析治療用機器を含むものであればよく、上記３つの透析治療用機器以外の機器を備えていることとしてもよい。
【００４９】
一方、透析ユニット２０は、スタッフが院内に不在となった夜間帯中、透析準備モードで運転しており、透析準備モードでは、上記３つの透析治療用機器のうち、透析液供給装置２１及び原末溶解装置２２が、装置内部の洗浄及び消毒を行う透析準備処理を実行する。ここで、透析準備処理の所要時間は、透析準備処理が夜間帯中に完了するように設定されており、換言すると、透析準備処理は、夜間帯において予め設定された時間だけ実行されることになる。なお、本実施形態において、ＲＯ装置２３については、夜間帯中に透析準備処理を実行することはなく、使用頻度や使用期間に応じて膜を交換したり、週１、２回の頻度にて膜を洗浄したりする程度のメンテナンスを実行するに留まる。ただし、これに限定されるものではなく、ＲＯ装置２３についても、透析液供給装置２１や原末溶解装置２２と同様の透析準備処理を夜間帯中に実行することとしてもよい。
【００５０】
そして、本実施形態において、透析液供給装置２１及び原末溶解装置２２の各々は、夜間期間中、透析準備処理を実行している状態にあるときにエラーが発生すると、透析準備処理を中断するようになる。また、本実施形態において、原末溶解装置２２は、透析準備処理が完了していない状態では透析液の原末、すなわちＡ剤原末及びＢ剤原末を溶解しないことになっている。透析液供給装置２１についても同様であり、透析準備処理が完了していない状態では透析液を供給しないことになっている。
【００５１】
したがって、透析準備処理の実行途中で透析液供給装置２１または原末溶解装置２２にエラーが生じてしまうと、透析準備処理が中断してしまい、かかる状態のままでは、透析液供給装置２１または原末溶解装置２２は、透析治療を施すための処理、具体的には、原末溶解処理や透析液供給処理を実行することができない。つまり、透析準備処理の実行途中で透析液供給装置２１または原末溶解装置２２にエラーが生じた場合、当該エラーを解消した上で透析準備処理を再開しない限り、透析治療を施すことができず、翌営業日の営業時間が開始されたとしても、透析準備処理が完了するまで、透析治療を施術される患者を待機させることになってしまう。
【００５２】
これに対して、本実施形態では、スタッフが院内に不在となった夜間帯においていずれかの透析治療用機器の作動状態が異常状態となると、前述したように、監視ユニット１０が作動して、エラー機器のディスプレイを撮像し、その画像データを添付したメールをインターネット経由で通信端末２に向けて送信することとしている。一方で、各透析治療用機器には、図８に示すように、エラー信号出力回路２１Ｃ，２２Ｃ，２３Ｃが内蔵されており、作動状態が異常状態となった際には監視ユニット１０を駆動するためにエラー信号を出力するようになっている。ここで、エラー信号とは、作動状態が異常状態となった透析治療用機器から出力される異常信号であり、監視ユニット１０に設けられている後述のＩ／Ｏモジュール１４に入力される。
【００５３】
より具体的に説明すると、透析液供給装置２１のエラー信号出力回路２１Ｃは、ディスプレイ２１Ｄに表示されたエラー内容表示ウィンドウが示すエラーが発生したときに、エラー信号を出力する。すなわち、透析液供給装置２１は、「給水圧下限」のエラー、「透析液濃度下限」のエラー、及び「貯槽液濃度異常」のエラーのうち、いずれかのエラーが発生したときにエラー信号を出力する。
【００５４】
同様に、原末溶解装置２２は、「Ａ溶解槽温度高」のエラー、「Ｂ溶解槽温度高」のエラー、及び「薬液漏れ」のエラーのうち、いずれかのエラーが発生したときに、エラー信号出力回路２２Ｃを用いてエラー信号を出力する。また、ＲＯ装置２３は、「漏水」のエラー、「貯水タンク渇水」のエラー、及び「送水ポンプ故障」のエラーのうち、いずれかのエラーが発生したときに、エラー信号出力回路２３Ｃを用いてエラー信号を出力する。
【００５５】
以上のように、透析液供給装置２１、原末溶解装置２２及びＲＯ装置２３の各々について監視項目を定めておき、それぞれの項目について異常が生じたときにエラー信号を出力するようになっていれば、透析液供給装置２１、原末溶解装置２２及びＲＯ装置２３の各々の作動状態を細やかに監視することが可能になる。
なお、上述のエラー内容は、エラー信号が出力されるようになるエラー内容の一例であり、少なくとも上述した内容のエラーが発生したときにエラー信号が出力されていれば、上述した内容以外のエラーが発生したときにエラー信号が出力されることとしてもよい。
【００５６】
（２）監視ユニットについて
監視ユニット１０の構成について、既出の図１、並びに図１０乃至１４を参照しながら説明する。
監視ユニット１０は、図１０に示すようにユニット化されており、院内において透析治療用機器が配置されている部屋と同じ部屋にある側壁や天井に固定されている。より具体的に説明すると、監視ユニット１０は、プラスチック製のケーシング１０ａを有しておりケーシング１０ａ内には、図１１に図示された監視ユニット１０の構成要素、具体的には、ネットワークカメラ１１、スイッチングＨＵＢ１２、モバイルルータ１３及びＩ／Ｏモジュール１４が収容されている。
【００５７】
なお、ケーシング１０ａの中央部には円形の貫通穴が形成されており、図１０に示すように、この貫通穴からネットワークカメラ１１のカメラ本体３１がケーシング１０ａ外に露出している。また、ケーシング１０ａ内には、監視ユニット１０の構成要素の他、無停電電源ＵＰＳからの電力を監視ユニット１０の構成機器に供給するための電力供給回路５１の一部をなすタップ５１ａが収容されている。
【００５８】
ネットワークカメラ１１は、透析ユニット２０を構成する透析治療用機器、具体的には、透析液供給装置２１、原末溶解装置２２及びＲＯ装置２３の各々の作動状態を監視する監視カメラである。Ｉ／Ｏモジュール１４は、ネットワークカメラ１１と透析治療用機器との間に介在し、異常状態となった透析治療用機器から出力されたエラー信号が入力される一方で、ネットワークカメラ１１に向けて制御信号を出力する。モバイルルータ１３は、監視ユニット１０によって構築されるカメラネットワークＮａを外部通信ネットワークＧＮであるインターネットに接続するための中継機器である。スイッチングＨＵＢ１２は、監視ユニット１０各部のデータ送受信を仲立ちし、ブリッジとして機能する。
以下、監視ユニット１０各部の構成について詳細に説明する。
【００５９】
ネットワークカメラ１１は、全方位撮像可能なＩＰカメラであり、図１に示すように、カメラ本体３１と、カメラ本体３１を駆動制御するカメラ制御機構３２とを有する。カメラ本体３１は、本発明の撮像装置に相当し、ドーム状の透明カバーに覆われた全方位レンズをマウントしており、パン、チルト及びズーム（ｐａｎ，ｔｉｌｔ，ｚｏｏｍであり、以下、ＰＴＺ動作と言う）に対応可能である。より具体的に説明すると、カメラ本体３１は、スタッフが院内に不在となる夜間帯において、いずれかの透析治療用機器の作動状態が異常状態となると、当該機器のディスプレイ２１Ｄ，２２Ｄ，２３Ｄを撮像するようにＰＴＺ動作を実行する。
【００６０】
カメラ制御機構３２は、本発明の制御機構に相当し、ネットワークカメラ１１の撮像範囲を調整するにあたりユーザが操作する操作端末からの送信データ（以下、操作データ）に基づいて、カメラ本体３１のＰＴＺ動作を制御するものである。
【００６１】
具体的に説明すると、カメラ制御機構３２は、図１に示すように、ＣＰＵ３２ａ、メモリ３２ｂ、インタフェース３２ｃを備えており、メモリ３２ｂには各種データやプログラムが記憶されている。そして、上記の操作データがスイッチングＨＵＢ１２を経てカメラ制御機構３２のインタフェース３２ｃによって受信されると、ＣＰＵ３２ａが、メモリ３２ｂに記憶されたプログラムのうち、カメラ操作プログラムを読み取って実行する。このプログラムは、操作データを解析することによって、操作端末においてユーザが決定したカメラ本体３１のＰＴＺ動作量を特定し、特定した動作量だけカメラ本体３１にＰＴＺ動作を行わせるものである。
【００６２】
なお、上記の操作端末の中には、スタッフが保有する通信端末２であるスマートフォンが含まれている。具体的に説明すると、上記のスマートフォンにインストールされているアプリケーションプログラムの中には、ネットワークカメラ１１を遠隔操作するためのプログラムが含まれており、当該アプリケーションプログラムを起動すると、図１４に図示されたカメラ操作画面がスマートフォンのタッチパネルに描画される。この画面を通じてスタッフは病院Ｈ内にあるネットワークカメラ１１を病院Ｈの外から遠隔操作することが可能である。換言すると、本実施形態では、通信端末２であるスタッフ保有のスマートフォンは、インターネットを通じてネットワークカメラ１１と通信可能である。
【００６３】
より詳しく説明すると、カメラ操作画面には、カメラ本体３１が現時点で撮像しているライブ画像と、カメラ本体３１の撮像範囲を変更するための操作ボタンＳＢが表示されている。ここで、スタッフが操作ボタンＳＢを押すと、上記のアプリケーションプログラムによって、ボタン操作に応じた操作データが生成されネットワークカメラ１１に向けて送信されるようになる。ネットワークカメラ１１のカメラ制御機構３２がインターネットを介して上記操作データを受信すると、これを契機としてカメラ操作プログラムが起動し、同プログラムの実行によって上記操作データが解析され、結果としてスマートフォン側でスタッフが決定したＰＴＺ動作量が特定されるようになる。
【００６４】
そして、カメラ制御機構３２は、特定されたＰＴＺ動作量だけカメラ本体３１にＰＴＺ動作を行わせる。この結果、押された操作ボタンＳＢの種類及び押し時間に対応するように、カメラ本体３１の撮像範囲が切り替わり、カメラ操作画面に写されるライブ画像も切り替わるようになる。
【００６５】
また、カメラ制御機構３２は、透析治療用機器から出力されたエラー信号に基づき、当該エラー信号が出力された機器のディスプレイ２１Ｄ，２２Ｄ，２３Ｄを撮像させるようにカメラ本体３１を制御することも可能である。具体的に説明すると、透析治療用機器から出力されたエラー信号がＩ／Ｏモジュール１４に入力され、これに伴ってＩ／Ｏモジュール１４から出力される制御信号がスイッチングＨＵＢ１２を経てカメラ制御機構３２のインタフェース３２ｃに渡されると、ＣＰＵ３２ａが、メモリ３２ｂに記憶されたプログラムのうち、エラー機器撮像プログラムを読み取って実行する。このプログラムは、上記の制御信号に基づいてカメラ本体３１にＰＴＺ動作を行わせるためのプログラムであり、同プログラムが実行されることにより、カメラ本体３１は、エラー信号が出力された透析治療用機器のディスプレイ２１Ｄ，２２Ｄ，２３Ｄを選択的に撮像するようになる。
【００６６】
具体的な手順を説明すると、エラー機器撮像プログラムでは、先ず、インタフェース３２ｃにて受け取った制御信号を解析して、エラー信号を出力したエラー機器がどの透析治療用機器であるかを特定する。その後、特定した透析治療機器のディスプレイ２１Ｄ，２２Ｄ，２３Ｄを撮像させるのに必要なカメラ本体３１のＰＴＺ動作量を算出する。当該動作量については、カメラ本体３１の現在の撮像位置と、撮像対象であるディスプレイ２１Ｄ，２２Ｄ，２３Ｄの配置位置とに基づいて求めることになる。
【００６７】
各透析治療用機器のディスプレイ２１Ｄ，２２Ｄ，２３Ｄの配置位置に関する情報は、図１２に示すように、予めプリセットポジション情報としてメモリ３２ｂに記憶されている。ＣＰＵ３２ａは、エラー機器である透析治療用機器を特定した後、特定した機器と対応するプリセットポジション情報をメモリ３２ｂから読み取って、特適した機器のディスプレイ２１Ｄ，２２Ｄ，２３Ｄの配置位置を特定する。一方で、ＣＰＵ３２ａは、カメラ本体３１が現在撮像している位置を特定する。このように特定した２つの位置に基づいて、ＰＴＺ動作量を算出する。
【００６８】
そして、算出結果に相当する動作量だけカメラ本体３１がＰＴＺ動作すると、カメラ本体３１の撮像範囲内にエラー機器のディスプレイ２１Ｄ，２２Ｄ，２３Ｄが収まるようになり、かつ、当該ディスプレイ２１Ｄ，２２Ｄ，２３Ｄ中のエラー内容表示ウィンドウのうち、どのウィンドウが点灯しているのかを識別することができるようなズームレベルにて上記ディスプレイ２１Ｄ，２２Ｄ，２３Ｄを撮像することが可能になる。
【００６９】
以上のように、カメラ制御機構３２は、カメラ操作プログラムの実行によって、エラー信号が出力された透析治療用機器のディスプレイ２１Ｄ，２２Ｄ，２３Ｄを選択的に撮像するようにカメラ本体３１を制御することが可能である。さらに、本実施形態において、カメラ制御機構３２は、カメラ本体３１が撮像したディスプレイ２１Ｄ，２２Ｄ，２３Ｄの画像を示す画像データをカメラ本体３１から取得し、取得した画像データをメールに添付して送信するデータ送信機構としても機能する。
【００７０】
具体的に説明すると、カメラ操作プログラムの実行によってエラー機器である透析治療用機器のディスプレイ２１Ｄ，２２Ｄ，２３Ｄが撮像された後、ＣＰＵ３２ａが、メモリ３２ｂに記憶されたプログラムのうち、メール送信プログラムを読み取って実行する。このプログラムが実行されると、先ず、カメラ本体３１が撮像したディスプレイ２１Ｄ，２２Ｄ，２３Ｄの画像を示す画像データが、カメラ本体３１からカメラ制御機構３２に伝送され、メモリ３２ｂに一時的に保存される。なお、本実施形態において上記の画像データの種類は、静止画データであることとするが、これに限定されず、動画データであることとしてもよい。
【００７１】
その後、メール送信プログラムにおいて、メモリ３２ｂに保存された画像データを添付したメールを作成し、当該メールを登録されたメールアドレス宛てに送信する処理が実行される。より詳しく説明すると、メール配信を希望するスタッフが、自己の通信端末２に割り当てられているメールアドレスを上記メールの受け取り先として事前に登録しており、登録されたメールアドレスは、図１２に示すように、メモリ３２ｂには記憶されている。そして、上記のメールが作成されると、ＣＰＵ３２ａがメモリ３２ｂに記憶された登録メールアドレスを読み取り、登録メールアドレスに対応する通信端末２である登録端末に向けて上記メールを送信する処理が実行される。
【００７２】
以上までに説明してきたカメラ制御機構３２の構成を機能面から改めて説明すると、図１３に示すように、カメラ制御機構３２は、カメラ操作部４１と、記憶部４２と、制御信号受信部４３と、操作データ受信部４４と、画像データ取得部４５と、メール作成部４６と、メール送信部４７とを備えている。これらカメラ制御機構３２各部は、カメラ制御機構３２のＣＰＵ３２ａ、メモリ３２ｂ、インタフェース３２ｃ及びメモリ３２ｂに記憶された各種プログラムによって構成されるものである。
【００７３】
カメラ操作部４１は、カメラ本体３１にＰＴＺ動作を行わせるための信号として駆動信号を生成し、同信号をカメラ本体３１に向けて出力するものである。記憶部４２は、透析治療用機器のディスプレイ２１Ｄ，２２Ｄ，２３Ｄの配置位置を示すプリポジション情報、メール送信部４７によって送信されるメールの送信先を示す登録メールアドレスを記憶している。また、記憶部４２は、カメラ本体３１が撮像した画像を示す画像データを一時的に記憶する。
【００７４】
制御信号受信部４３は、透析治療用機器から出力されたエラー信号がＩ／Ｏモジュール１４に入力された際にＩ／Ｏモジュール１４から出力される制御信号を受信するものである。操作データ受信部４４は、ネットワークカメラ１１の撮像範囲を調整するために行われたユーザ操作に応じて操作端末が送信した操作データを受信するものである。画像データ取得部４５は、カメラ本体３１が撮像した画像を示す画像データをカメラ本体３１から取得して、同データを記憶部４２に記憶させるものである。
【００７５】
メール作成部４６は、画像データ取得部４５がカメラ本体３１から取得した画像データ、換言すると、記憶部４２に一時的に記憶されている画像データを添付したメールを作成するものである。メール送信部４７は、メール作成部４６が作成したメールを、登録メールアドレスに対応した通信端末２である登録端末に向けて送信するものである。
【００７６】
以上のような構成のカメラ制御機構３２において、操作データ受信部４４が操作データを受信すると、これを契機として、カメラ操作部４１が操作データに基づいて駆動信号を生成する。この駆動信号を受信したカメラ本体３１は、その撮像範囲を調整するために操作端末にて行われたユーザ操作に対応する動作量だけＰＴＺ動作を行うようになる。
【００７７】
また、制御信号受信部４３が制御信号を受信し、これを契機として、カメラ操作部４１は、制御信号を解析して、エラー信号を出力した透析治療用機器を特定し、さらに特定した透析治療用機器のディスプレイ２１Ｄ，２２Ｄ，２３Ｄの配置位置を示すプリポジション情報を記憶部４２から読み出す。そして、カメラ操作部４１は、記憶部４２から読み出したプリポジション情報に基づいて駆動信号を生成し、カメラ本体３１に向けて出力する。この駆動信号を受信したカメラ本体３１は、エラー信号を出力した透析治療用機器のディスプレイ２１Ｄ，２２Ｄ，２３Ｄが撮像範囲内に収まるようにＰＴＺ動作を行うようになる。
【００７８】
その後、カメラ本体３１がエラー信号を出力した透析治療用機器のディスプレイ２１Ｄ，２２Ｄ，２３Ｄを撮像すると、その画像を示す画像データを画像データ取得部４５がカメラ本体３１から取得する。取得された画像データは、記憶部４２に一時的に記憶されるようになる。
【００７９】
記憶部４２に画像データが記憶されると、これを契機として、メール作成部４６が当該画像データを添付したメールを作成するようになる。メール作成後には、メール送信部４７が、登録メールアドレスを記憶部４２から読み出し、登録メールアドレスに対応する登録端末に向けて上記のメールを送信するようになる。
【００８０】
メール送信後、記憶部４２に記憶されていた画像データが削除される一方、メールを送信した日時を示すメール送信履歴データが記憶部４２に記憶されるようになる。なお、本実施形態では、制御信号受信部４３が制御信号を受信した場合に、その受信日時を示す制御信号受信履歴データが記憶部４２に記憶されることになっている。この制御信号受信履歴データが示す日時は、異常状態となった透析治療用機器がエラー信号を出力した日時、すなわち、透析治療用機器にエラーが生じた日時と同視することができる。
【００８１】
スイッチングＨＵＢ１２は、前述したようにブリッジとして機能し、データの種類に応じて適切な送信先にデータを引き渡す。具体的に説明すると、スイッチングＨＵＢ１２は、ネットワークカメラ１１、モバイルルータ１３及びＩ／Ｏモジュール１４と有線にて接続されており、Ｉ／Ｏモジュール１４の出力ポートから出力された制御信号を受け取り、ネットワークカメラ１１に引き渡す。また、スイッチングＨＵＢ１２は、ネットワークカメラ１１から出力されたメール及び当該メールに添付された画像データを受け取り、モバイルルータ１３に引き渡す。また、スイッチングＨＵＢ１２は、ネットワークカメラ１１の撮像範囲を調整するにあたって操作端末が送信した操作データを、インターネット及びモバイルルータ１３を通じて受け取り、ネットワークカメラ１１に引き渡す。
【００８２】
モバイルルータ１３は、変復調器を内蔵し、無線通信回線の一例であるモバイル通信回線を通じて外部通信ネットワークＧＮとしてのインターネットに接続するルータである。特に、本実施形態に係るモバイルルータ１３は、３Ｇ回線を通じてインターネットに接続するＷｉ−Ｆｉ（登録商標）ルータであり、持ち運び自在であり、電波を受信できる環境であれば無線ＬＡＮ対応機器をインターネットに無線方式で接続させることが可能である。
【００８３】
そして、本実施形態では、データ送信機構としてのカメラ制御機構３２が、カメラ本体３１が撮像したディスプレイ２１Ｄ，２２Ｄ，２３Ｄの画像を示す画像データを、モバイルルータ１３（より厳密には、モバイルルータ１３及びスイッチングＨＵＢ１２）を介して、登録メールアドレスに対応する登録端末に向けて送信する。また、カメラ制御機構３２は、ネットワークカメラ１１の撮像範囲を調整するにあたって操作端末が送信した操作データを、モバイルルータ１３（より厳密には、モバイルルータ１３及びスイッチングＨＵＢ１２）を介して受信する。
【００８４】
以上のように本実施形態では、外部通信ネットワークＧＮとカメラネットワークＮａとの間におけるデータの送受信がモバイルルータ１３によって中継される。すなわち、本システム１は、外部通信ネットワークＧＮとカメラネットワークＮａとの間におけるデータの送受信を無線方式にて行うように構成されている。
【００８５】
ここで、上記モバイルルータ１３は、本システム１専用の中継機器として院内に設けられている。換言すると、カメラネットワークＮａとインターネットとの間を中継する機器としてのモバイルルータ１３が、複数の院内端末１０１にて構築された院内ネットワークＮｂとインターネットとの間を中継するルータ１０３とは別個に設けられている。さらに、モバイルルータ１３は、無線通信回線にてインターネットと接続するので、院内ネットワークＮｂ側のルータ１０３がインターネットに接続するために用いられる通信ケーブルを共有することもない。これにより、カメラネットワークＮａ及び院内ネットワークＮｂは、互いに単独でインターネットに接続することが可能となり、相互に影響を及ぼすことが無くなる。
【００８６】
以上のようにカメラネットワークＮａ及び院内ネットワークＮｂが互いに単独でインターネットに接続できるので、本システム１は、院内ネットワークＮｂ側の設備を使用することなく、インターネット上の通信端末２との間で通信を行うことが可能である。つまり、本システム１と通信端末２との間で通信が行われている間、院内ネットワークＮｂ側のセキュリティに影響が及ぶことはない。この結果、院内ネットワークＮｂ側のセキュリティが確保されるようになる。
【００８７】
また、カメラネットワークＮａを構築する場合には、院内ネットワークＮｂ側の設備を使用しないので、カメラネットワークＮａを単独で構築することが可能である。このため、カメラネットワークＮａを利用した本システム１の導入に際して院内ネットワークＮｂ側のインフラを調査する手間を要さず、以て、本システム１の導入コストが抑えられるようになる。
【００８８】
さらに、本実施形態では、前述したように、透析液供給装置２１及び原末溶解装置２２の各々は、スタッフが院内に不在となる夜間帯中、透析準備処理を実行している状態にあるときにエラー信号を出力すると、透析準備処理を中断するようになっている。そして、透析準備処理が完了していない状態では、原末溶解装置２２はＡ剤原末やＢ剤原末を溶解せず、透析液供給装置２１は透析液を供給しないことになっている。かかる制限が設けられている状況では、スタッフが院内に不在となる期間において透析液供給装置２１及び原末溶解装置２２の各々の作動状態を監視することがより重要となる。したがって、スタッフ不在時に各透析治療用機器の作動状況を適切に監視するシステムをより低コストで導入することが可能な本実施形態がより有意義なものとなる。
【００８９】
なお、本実施形態では、透析液供給装置２１及び原末溶解装置２２の各々が透析準備処理を実行している状態にある間に、いずれかの内容のエラーが生じてエラー信号を出力すると、透析準備処理が中断されることになっている。ただし、これに限定されるものではなく、エラー内容のうち、特に重大な内容のエラーが生じた場合にのみ、透析準備処理が中断されることとしてもよい。
【００９０】
また、本実施形態では、モバイルルータ１３を識別するために割り当てられたモバイルルータ１３のグローバルＩＰアドレスが、固定グローバルＩＰアドレスとなっている。これにより、インターネット上の端末からモバイルルータ１３を介してネットワークカメラ１１と通信する際、より確実に通信することが可能になる。例えば、ネットワークカメラ１１の撮像範囲を調整するにあたって操作端末からネットワークカメラ１１に向けて操作データを送信する場合、モバイルルータ１３を経由することになるが、モバイルルータ１３のグローバルＩＰアドレスが固定グローバルＩＰアドレスとなっていれば、より確実に上記の操作データをネットワークカメラ１１に伝送することが可能になる。
【００９１】
ただし、モバイルルータ１３に割り当てられているグローバルＩＰアドレスについては、固定グローバルＩＰアドレスに限定されるものではなく、流動的なものであってもよいが、モバイルルータ１３を介して本システム１各部と通信する際により確実に通信することが可能である点で、固定グローバルＩＰアドレスの方が望ましい。
【００９２】
さらに、本実施形態では、前述したように、エラー信号が出力された透析治療用機器のディスプレイ２１Ｄ，２２Ｄ，２３Ｄの画像を示す画像データをメールに添付し、モバイル通信回線を通じてインターネットに接続するモバイルルータ１３を介して、上記メールを登録メールアドレスに対応する端末に向けて送信する。このように、モバイルルータを介して画像データが添付されたメールを送信すれば、院内ネットワークＮｂに影響を及ぼさずに、かつ、メールという汎用的な手段で透析治療用機器の異常をスタッフに報知することが可能となる。ただし、上記の画像データを無線にて送信できる手段であれば、メールに限定されるものではない。
【００９３】
また、本実施形態では、無線通信回線を通じてインターネットに接続する中継機器の一例としてモバイルルータ１３を用いることとしているが、無線通信回線を通じてインターネットに接続する機器であればモバイルルータ以外の機器、例えば、テザリング機能を有する携帯電話等のモバイル通信機器であってもよい。
【００９４】
Ｉ／Ｏモジュール１４は、接点入出力装置であり、作動状態が異常状態となった透析治療用機器から出力されるエラー信号の入力ポートと、エラー信号が出力された透析治療用機器のディスプレイ２１Ｄ，２２Ｄ，２３Ｄを撮像させるための制御信号の出力ポートを備える。Ｉ／Ｏモジュール１４の入力ポートと透析治療用機器の出力端子との間、及び、Ｉ／Ｏモジュール１４の出力ポートとスイッチングＨＵＢ１２の入力ポートとの間は、いずれも有線にて接続されている。そして、入力ポートにエラー信号が入力されると、出力ポートから制御信号がネットワークカメラ１１のカメラ制御機構３２に向けて出力されるようになる。
【００９５】
本実施形態において、Ｉ／Ｏモジュール１４は、入力ポート及び出力ポートをそれぞれ複数備えている。より具体的に説明すると、Ｉ／Ｏモジュール１４に設けられた入力ポートの個数は、透析治療用機器の台数より多くなっている。また、Ｉ／Ｏモジュール１４に設けられた出力ポートの個数は、ネットワークカメラ１１の台数より多くなっている。このように透析治療用機器の台数以上の入力ポートと、ネットワークカメラ１１の台数以上の出力ポートとを備えるＩ／Ｏモジュール１４であれば、透析治療用機器やネットワークカメラ１１の台数が増えた場合にも柔軟に対応することが可能となる。
【００９６】
なお、入力ポート及び出力ポートの各々の個数については、入力ポートについては少なくとも透析治療用機器の台数以上となっており、出力ポートについては少なくともネットワークカメラ１１の台数以上となっている限り、任意の数に設定することが可能である。
【００９７】
（３）電力供給ユニットについて
電力供給ユニット５０は、院内の各電気機器に電力を供給するものであり、本実施形態では、電源の種類により２系統に分かれている。一方の系統は、商用電源ＣＤから送電されてくる電力を、電力供給回路５２を通じて各電気機器へ供給するものである。本実施形態では、前述したように、透析ユニット２０の構成機器、すなわち、透析液供給装置２１、原末溶解装置２２及びＲＯ装置２３が、商用電源ＣＤからの電力を受電して作動するようになっている。
【００９８】
他方の系統は、病院Ｈに設けられた無停電電源ＵＰＳからの電力を供給するものである。無停電電源ＵＰＳからの電力は、無停電電源ＵＰＳと電気機器との間に敷設させたケーブルによって形成されている電力供給回路５１を通じて供給される。ここで、無停電電源ＵＰＳからの電力の供給先は、院内の電気機器のうち、特定の機器に限定されており、前述したように、監視ユニット１０各部が含まれている。すなわち、本実施形態において、ネットワークカメラ１１（換言すると、カメラ本体３１及びカメラ制御機構３２）、スイッチングＨＵＢ１２、モバイルルータ１３、及びＩ／Ｏモジュール１４は、無停電電源ＵＰＳからの電力を受電して作動する。
【００９９】
また、電力供給回路５２において上記受電設備と分電盤５３との間には、停電検出リレー５４が設けられており、停電検出リレー５４は、通常時は入状態となっており、商用電源ＣＤが異常状態となって商用電源ＣＤからの送電が中断した際に切状態に切り換わるように動作する。停電検出リレー５４が切状態となると、商用電源ＣＤと院内の電気機器との間の接続状態が遮断され、当該電気機器への電力供給が中断されることになる。さらに、停電検出リレー５４は、切状態となると信号を出力し、図１に示すように、当該信号は、Ｉ／Ｏモジュール１４に入力されるようになっている。
【０１００】
そして、Ｉ／Ｏモジュール１４は、停電検出リレー５４からの信号が入力されると、停電時制御信号をネットワークカメラ１１のカメラ制御機構３２に向けて出力するようになる。上記の停電時制御信号を受信したカメラ制御機構３２は、商用電源ＣＤからの電源供給が中断したことを報知するための報知メールを作成し、モバイルルータ１３を介して、メモリ３２ｂに記憶された登録メールアドレスに対応する登録端末に向けて送信する。
【０１０１】
より具体的に説明すると、カメラ制御機構３２が停電時制御信号を受信すると、ＣＰＵ３２ａが、メール送信プログラムを読み取って実行し、同プログラムの実行により、商用電源ＣＤからの電源供給の中断を報知するための報知メールが作成される。この報知メールは、停電の発生、及び、停電があった日時、換言すると、停電検出リレー５４が切状態となった日時を知らせる文字情報により構成される。その後、メール送信プログラムでは、作成されたメールを登録端末に向けて送信する処理が実行される。
【０１０２】
以上のメール送信手順をカメラ制御機構３２の機能面から改めて説明すると、制御信号受信部４３が、Ｉ／Ｏモジュール１４から出力された停電時制御信号を受信すると、これを契機として、メール作成部４６が上記の報知メールを作成するようになる。メール作成後には、メール送信部４７が、登録メールアドレスを記憶部４２から読み出し、登録メールアドレスに対応する登録端末に向けて上記の報知メールを送信するようになる。
【０１０３】
一方、制御信号受信部４３が停電時制御信号を受信した場合に、その受信日時を示す停電時制御信号受信履歴データが記憶部４２に記憶されることになっている。この停電時制御信号受信履歴データが示す日時は、停電検出リレー５４が切状態となった日時、すなわち、商用電源ＣＤからの電源供給が中断した日時と同視することができる。
【０１０４】
以上のように、本実施形態では、監視ユニット１０各部が無停電電源ＵＰＳからの電力を受電して作動するので、商用電源ＣＤから透析治療用機器への電力供給が中断したことを報知するメールを送信することが可能となり、このメール配信によって、病院Ｈの外に居るスタッフに停電の発生を知らせることが可能になる。
【０１０５】
＜＜本実施形態に係る透析治療用機器監視方法の流れ＞＞
次に、本実施形態に係る透析治療用機器監視方法として、本システム１による透析治療用機器監視方法について図１５及び１６を参照しながら説明する。なお、以下の説明では、主に、院内にスタッフが不在となる期間、すなわち、夜間帯における監視制御（以下、スタッフ不在時の監視制御）の流れを説明する。
【０１０６】
スタッフ不在時の監視制御は、スタッフが病院Ｈを退出する前に、透析ユニット２０の運転モードを透析実施モードから透析準備モードへ切り替えるための操作、例えば、不図示の操作画面にてモード切り替えボタンをクリックする等の操作を行うことによって開始される。以降、再びモード切り替えボタンがクリックされるまでの期間、スタッフ不在時の監視制御が継続されることになる。
【０１０７】
図１５に示すように、スタッフ不在時の監視制御では、透析ユニット２０の構成機器である透析液供給装置２１、原末溶解装置２２及びＲＯ装置２３の各々の作動状態が異常状態となっていないか監視される（Ｓ００１）。そして、いずれかの透析治療用機器の作動状態が異常状態となると、当該透析治療用機器から警報が鳴り、当該透析治療用機器のディスプレイ２１Ｄ，２２，２３Ｄに表示されたエラー内容表示ウィンドウのうち、発生したエラー内容に対応するウィンドウが点灯するようになる。なお、透析準備モードでは、透析液供給装置２１及び原末溶解装置２２が透析準備処理を実行しており、これらの装置のうち、異常状態となった機器については、透析準備処理を中断するようになっている。
【０１０８】
また、異常状態となった透析治療機器であるエラー機器からは、エラー信号が出力されるようになる（Ｓ００２）。エラー信号はＩ／Ｏモジュール１４に入力され、図１５に示すように、エラー信号が所定時間ｔ１以上継続して入力されると（Ｓ００３）、Ｉ／Ｏモジュール１４から制御信号が出力されるようになる。なお、制御信号出力条件となるエラー信号の継続時間ｔ１については、任意に設定することが可能である。
【０１０９】
Ｉ／Ｏモジュール１４から出力された制御信号は、スイッチングＨＵＢ１２のブリッジ機能によりネットワークカメラ１１のカメラ制御機構３２に引き渡されるようになる。そして、カメラ制御機構３２の制御信号受信部４３が制御信号を受信すると、これを契機として、カメラ操作部４１が制御信号を解析してエラー機器を特定し、特定したエラー機器のディスプレイ２１Ｄ，２２Ｄ，２３Ｄの配置位置を示すプリポジション情報を記憶部４２から読み出す。そして、カメラ操作部４１は、記憶部４２から読み出したプリポジション情報に基づいてカメラ本体３１を操作すべく、カメラ本体３１に向けて駆動信号を送信する（Ｓ００４）。本工程Ｓ００４は、制御機構であるカメラ制御機構３２が、透析治療用機器毎に設けられたディスプレイ２１Ｄ，２２Ｄ，２３Ｄのうち、いずれかの透析治療用機器のディスプレイ２１Ｄ，２２Ｄ，２３Ｄを選択的に撮像するようにカメラ本体１１を制御する工程に相当する。
【０１１０】
駆動信号を受信したカメラ本体３１は、エラー機器のディスプレイ２１Ｄ，２２Ｄ，２３Ｄが撮像範囲内に収まるようにＰＴＺ動作を行い、当該ディスプレイ２１Ｄ，２２Ｄ，２３Ｄを撮像する（Ｓ００５）。本工程Ｓ００５は、撮像装置であるカメラ本体３１が、透析治療用機器の作動状態に関する情報が表示されたディスプレイ２１Ｄ，２２Ｄ，２３Ｄを撮像する工程に相当する。
【０１１１】
その後、カメラ本体３１が撮像したディスプレイ２１Ｄ，２２Ｄ，２３Ｄの画像データが、画像データ取得部４５によってカメラ本体３１から取得され、記憶部４２に一時的に記憶されるようになる。記憶部４２に画像データが記憶されると、これを契機として、カメラ制御機構３２のメール作成部４６が当該画像データを添付したメールを作成し（Ｓ００６）、作成したメールは、メール送信部４７によって、記憶部４２に記憶された登録メールアドレスに対応する登録端末に向けて送信される（Ｓ００７）。ここで、画像データを取得してから上記のメールを送信するまでの工程は、データ送信機構であるカメラ制御機構３２が、カメラ本体３１によって撮像された画像を示す画像データをカメラ本体３１から取得し、取得した画像データを送信する工程に相当する。
【０１１２】
そして、本実施形態では、モバイルルータ１３が３Ｇ回線を通じてインターネットに接続した上で、メール送信部４７によって上記のメールが、モバイルルータ１３を介して、インターネット上の登録端末に向けて送信されるようになる。より具体的に説明すると、メール送信部４７によって送信された上記のメールは、スイッチングＨＵＢ１２のブリッジ機能によりモバイルルータ１３に引き渡された後、モバイルルータ１３にて変調されてから、３Ｇ回線を通じてインターネット上の登録端末に向けて送信されることになる。
【０１１３】
登録端末側でメールが受信されると、当該登録端末の保有者であるスタッフが、メールに添付された画像データを展開して、エラー機器のディスプレイ２１Ｄ，２２Ｄ，２３Ｄの画像を、登録端末の表示画面にて確認する。その後、スタッフは、登録端末にてネットワークカメラ１１を遠隔操作してネットワークカメラ１１のライブ映像を見たり、あるいは、病院Ｈに戻ってエラー機器が配置されている場所に行ったりする等して、エラー機器の状態を視認する。
【０１１４】
そして、スタッフがエラー内容に応じた対応を採ることでエラーが解消されると（Ｓ００８）、エラー機器であった透析治療用機器の警報が止み、そのディスプレイ２１Ｄ，２２Ｄ，２３Ｄにおいて点灯状態にあったエラー内容表示ウィンドウが消灯するようになる。
【０１１５】
以上一連の手順は、図１５に示すように、透析ユニット２０の運転モードが透析実施モードに移行するまで繰り返し実行される（Ｓ００９）。そして、透析ユニット２０の運転モードが透析実施モードに移行した時点でスタッフ不在時の監視制御が終了する（Ｓ０１０）。
【０１１６】
一方、スタッフ不在時の監視制御では、商用電源ＣＤからの電源供給が正常であるかどうかを監視しており、図１６に示すように商用電源ＣＤが異常状態となって商用電源ＣＤからの電力供給が中断した場合（Ｓ０１１でＮｏ）、透析液供給装置２１、原末溶解装置２２及びＲＯ装置２３がいずれもオフ状態となる。電力供給回路５２中に設置された停電検出リレー５４が停電を検知して入状態から切状態に切り換わる（Ｓ０１２）。切状態となった停電検出リレー５４からは信号が出力され、当該信号は、Ｉ／Ｏモジュール１４に入力される。
【０１１７】
Ｉ／Ｏモジュール１４の入力ポートに停電検出リレー５４からの信号が入力されると、停電時制御信号がＩ／Ｏモジュール１４からネットワークカメラ１１のカメラ制御機構３２に向けて出力される。そして、カメラ制御機構３２の制御信号受信部４３が上記の停電時制御信号を受信すると、メール作成部４６により、商用電源ＣＤからの電力供給の中断を報知する報知メールが作成される（Ｓ０１３）。作成された報知メールは、メール送信部４７によって、モバイルルータ１３を介して、記憶部４２に記憶された登録メールアドレスに対応する登録端末に向けて送信される（Ｓ０１４）。
【０１１８】
登録端末側で報知メールが受信されると、当該登録端末の保有者であるスタッフが、報知メールの文面から停電の発生と停電の発生日時を確認する。その後、商用電源ＣＤからの電力供給が復旧すると（Ｓ０１５）、透析液供給装置２１、原末溶解装置２２及びＲＯ装置２３が、オン状態となって再起動するようになる。
【０１１９】
以上のような停電時の手順についても、図１６に示すように、透析ユニット２０の運転モードが透析実施モードに移行するまで繰り返し実行される（Ｓ０１６）。そして、前述したように、透析ユニット２０の運転モードが透析実施モードに移行した時点でスタッフ不在時の監視制御が終了し（Ｓ０１６）、これに伴って、上述した停電対策制御も終了することになる。
【０１２０】
＜＜本実施形態の変形例について＞＞
以下では、本実施形態の変形例として、上記の実施形態（以下、本件例）と電力供給形態が異なる第１変形例、本件例と監視ユニット１０の構成が異なる第２変形例について説明する。
【０１２１】
先ず、第１変形例について図１７を参照しながら説明する。
本件例では、前述したように、透析治療用機器への電力供給が商用電源ＣＤによって賄われており、監視ユニット１０各部への電力供給が無停電電源ＵＰＳによって賄われている。これに対し、第１変形例では、通常、透析治療用機器及び監視ユニット１０各部への電力供給が商用電源ＣＤによって賄われ、商用電源ＣＤからの電力供給が中断した場合には、病院Ｈ内に設けられた自家発電設備によって賄われるようになっている。このため、スタッフ不在時の監視制御における停電時の対応については、第１変形例と本件例との間で相違するようになる。
【０１２２】
具体的に説明すると、図１７に示すように、第１変形例では、スタッフ不在時の監視制御において、商用電源ＣＤが異常状態となり商用電源ＣＤからの電力供給が中断すると（Ｓ０２１でＮｏ）、透析治療用機器の他、監視ユニット１０各部もオフ状態となる（Ｓ０２２）。一方、停電となると自家発電設備が起動するようになり（Ｓ０２３）、電源の切り替え作業に所定時間を要した後、自家発電設備により透析治療用機器及び監視ユニット１０各部への電力供給が再開する。これにより、監視ユニット１０各部がオン状態となって再起動する（Ｓ０２４）。
【０１２３】
そして、第１変形例では、監視ユニット１０各部が再起動すると、カメラ制御機構３２のメール作成部４６により、電力供給元が商用電源ＣＤから自家発電設備に切り換わったことを報知する報知メールが作成される（Ｓ０２５）。作成された報知メールは、メール送信部４７によって、モバイルルータ１３を介して、記憶部４２に記憶された登録メールアドレスに対応する登録端末に向けて送信される（Ｓ０２６）。登録端末側で報知メールが受信されると、当該登録端末の保有者であるスタッフが、報知メールの文面から、電力供給元が商用電源ＣＤから自家発電設備に切り換わったことを確認する。
【０１２４】
その後、商用電源ＣＤからの電力供給が復旧すると（Ｓ０２７）、電源切り替え作業を経て、再度、電力供給元が自家発電設備から商用電源ＣＤに切り換わるようになる。以上までの手順は、図１７に示すように、透析ユニット２０の運転モードが透析実施モードに移行するまで繰り返し実行され（Ｓ０２８）、スタッフ不在時の監視制御の終了に伴って停電対策制御も終了することになる（Ｓ０２９）。
【０１２５】
以上のように第１変形例では、停電となって商用電源ＣＤからの電力供給が中断した後に自家発電設備により電力供給が再開したことを報知するための報知メールが送信される。かかる構成は、病院Ｈ等の施設内に自家発電設備が設けられている場合に有効である。一方で、本件例のように、停電となったことを報知するための報知メールが送信される構成は、監視ユニット１０各部への電力供給が無停電電源ＵＰＳによってなされる場合に有効である。
【０１２６】
次に、第２変形例について図１８を参照しながら説明する。第２変形例に係る監視ユニット１０は、図１８に示すように、スイッチングＨＵＢ１２及びＩ／Ｏモジュール１４を備えていない点で本件例の監視ユニット１０と相違する。すなわち、第２変形例では、透析液供給装置２１、原末溶解装置２２及びＲＯ装置２３の各々とネットワークカメラ１１との間が直接有線にて接続されており、ネットワークカメラ１１及びモバイルルータ１３との間についても直接接続されている。これにより、本件例よりも、スイッチングＨＵＢ１２及びＩ／Ｏモジュール１４の分だけシステム導入コストが抑えられるようになる。
【０１２７】
一方、第２変形例では、ネットワークカメラ１１側の入力端子を透析液供給装置２１、原末溶解装置２２及びＲＯ装置２３の分だけ確保する必要があるため、第２変形例において使用可能なカメラの機種は制限されることになる。また、ネットワークカメラ１１の台数が複数となった場合には、各ネットワークカメラ１１と各透析治療用機器との間を有線にて接続することになり、配線が複雑になる可能性がある。かかる点では、本件例の方が第２変形例よりも好適である。
【０１２８】
また、上述した第１変形例、第２変形例以外の変形例についても考えられる。例えば、本件例では、複数の医療機器としての複数の透析治療用機器の各々を監視するシステム（つまり、本システム１）を例に挙げて説明した。本件例に係るシステムであればスタッフが院内に不在となる期間中、各透析治療用機器の作動状態を監視することができ、特に、透析液供給装置２１及び原末溶解装置２２については、透析準備処理が正常に実行されているかどうかを監視することが可能である。ただし、複数の医療機器については、透析治療用機器に限定されるものではなく、他の治療を患者に施すために作動する医療機器であることとしてもよい。すなわち、本発明の医療器機器監視システム及び監視方法については、透析治療以外の治療用の医療機器を関する場合にも利用可能である。
【符号の説明】
【０１２９】
１  本システム（透析治療用監視システム）
２  通信端末
Ｈ  病院
１０  監視ユニット
１０ａ  ケーシング
１１  ネットワークカメラ
１２  スイッチングＨＵＢ
１３  モバイルルータ
１４  Ｉ／Ｏモジュール
２０  透析ユニット
２１  透析液供給装置
２２  原末溶解装置（溶解装置）
２３  ＲＯ装置（精製装置）
２１Ａ，２２Ａ，２３Ａ  センサ
２１Ｂ，２２Ｂ，２３Ｂ  アラーム発生機
２１Ｃ，２２Ｃ，２３Ｃ  エラー信号出力回路
２１Ｄ，２２Ｄ，２３Ｄ  ディスプレイ
３１  カメラ本体（撮像装置）
３２  カメラ制御機構（データ送信機構）
３２ａ  ＣＰＵ
３２ｂ  メモリ
３２ｃ  インタフェース
４１  カメラ操作部
４２  記憶部
４３  制御信号受信部
４４  操作データ受信部
４５  画像データ取得部
４６  メール作成部
４７  メール送信部
５０  電力供給ユニット
５１  電力供給回路
５１ａ  タップ
５２  電力供給回路
５３  分電盤
５４  停電検出リレー
６１  貯水タンク
６２  逆浸透膜モジュール
６３  送水ポンプ
６４  Ａ剤原末溶解槽
６５  Ｂ剤原末溶解槽
６６  精製水タンク
６７  Ａ剤タンク
６８  Ｂ剤タンク
６９  透析液タンク
７０  供給ポンプ
１０１  院内端末
１０２  スイッチングＨＵＢ
１０３  ルータ
ＧＮ  外部通信ネットワーク
ＣＤ  商用電源
ＵＰＳ  無停電電源
Ｎａ  カメラネットワーク
Ｎｂ  院内ネットワーク
ＳＢ  操作ボタン
【図１】
2013220191.tif 000003
【図２】
2013220191.tif 000004
【図３】
2013220191.tif 000005
【図４】
2013220191.tif 000006
【図５】
2013220191.tif 000007
【図６】
2013220191.tif 000008
【図７】
2013220191.tif 000009
【図８】
2013220191.tif 000010
【図９】
2013220191.tif 000011
【図１０】
2013220191.tif 000012
【図１１】
2013220191.tif 000013
【図１２】
2013220191.tif 000014
【図１３】
2013220191.tif 000015
【図１４】
2013220191.tif 000016
【図１５】
2013220191.tif 000017
【図１６】
2013220191.tif 000018
【図１７】
2013220191.tif 000019
【図１８】
2013220191.tif 000020